【手続補正書】
【提出日】平成30年8月6日(2018.8.6)
【手続補正１】
【補正対象書類名】特許請求の範囲
【補正対象項目名】全文
【補正方法】変更
【補正の内容】
【特許請求の範囲】
【請求項１】
複雑系の関心要素の可視化及び解析のためのシステムを実施する装置であって、プロセッサと、実行可能指令を記憶するメモリとを備え、前記実行可能指令が、前記プロセッサによる実行に応答して、前記装置に少なくとも、
複数の要素から成る複雑系の物理インスタンスに関するデータを受信及び処理する（１０２）ことであって、前記データは、前記複雑系に対する複数の保守メッセージを識別するために受信及び処理され、複数の診断手順が前記複数の保守メッセージについて規定され、かつ前記複数の保守メッセージに関連付けられ、前記複数の診断手順は、前記複数の要素のうちの複数の関心要素に関与するか、又は影響を与える、受信及び処理することと、
前記複雑系の少なくとも一部分の視覚提示を生成する（１０８）ことであって、前記視覚提示は、デジタルメディアであり、かつ、前記複数の要素のうちの前記複数の関心要素及び一又は複数のそれ以外の要素を描写する、視覚提示を生成することと、
前記視覚提示によって描写された前記複数の関心要素を前記一又は複数のそれ以外の要素から区別するために、前記視覚提示によって描写された前記複数の関心要素に視覚効果を適用すること（１１０）
を実行させる、装置。
【請求項２】
前記装置に前記視覚提示を生成する（１０８）ことを実行させることは、前記複雑系のデジタル三次元（３Ｄ）モデルの少なくとも一部分の視覚提示を生成することを実行させることを含み、前記視覚効果は、前記複数の関心要素に対応する前記３Ｄモデルの３Ｄオブジェクトに適用される、請求項１に記載の装置。
【請求項３】
前記複数の関心要素は、前記複数の診断手順のうちの第１のものに関与するか、又はその影響を受ける第１の一又は複数の関心要素と、前記複数の診断手順のうちの第２のものに関与するか、又はその影響を受ける第２の一又は複数の関心要素とを含み、
前記装置に前記視覚効果を適用すること（１１０）を実行させることは、前記第１の一又は複数の関心要素と前記第２の一又は複数の関心要素とを互いから区別するために、前記第１の一又は複数の関心要素と前記第２の一又は複数の関心要素とで、適用される前記視覚効果の特性を変えるように実行されることを含む、請求項１に記載の装置。
【請求項４】
前記メモリは、更なる実行可能指令を記憶し、前記更なる実行可能指令は、前記プロセッサによる実行に応答して、前記装置に更に、
前記複数の関心要素から重要関心要素を識別するために、前記複数の関心要素を解析する（１１２）ことを実行させ、
前記装置に前記視覚効果を適用すること（１１０）を実行させることは、前記複数の関心要素のうちの前記重要関心要素をそれ以外の関心要素から更に区別するために、前記重要関心要素に適用された前記視覚効果の特性を変えること、又は、前記重要関心要素に第２の視覚効果を適用することを実行させることを含む、請求項１に記載の装置。
【請求項５】
前記装置に前記複数の関心要素を解析する（１１２）ことを実行させることは、少なくとも、
一又は複数のエッジによって接続された複数の頂点を含むグラフを生成することであって、前記複数の頂点は、前記複数の関心要素のうちのそれぞれの要素に対応し、前記一又は複数のエッジは、前記複数の要素間の一又は複数の接続のそれぞれを表す、グラフを生成することと、
前記複数の頂点から一つの重要頂点を識別するために、前記グラフを解析することであって、前記重要頂点は前記複数の関心要素のうちの前記重要関心要素に対応する、前記グラフを解析すること
を実行させることを含む、請求項４に記載の装置。
【請求項６】
複数の要素から成る複雑系の物理インスタンスに関するデータを受信し、処理すること（１０２）を含み、前記データは、前記複雑系に対する複数の保守メッセージを識別するために受信及び処理され、複数の診断手順が前記複数の保守メッセージについて規定され、かつ前記複数の保守メッセージに関連付けられ、前記複数の診断手順は、前記複数の要素のうちの複数の関心要素に関与するか、又は影響を与え、
前記複雑系の少なくとも一部分の視覚提示を生成すること（１０８）を含み、前記視覚提示は、デジタルメディアであり、かつ、前記複数の要素のうちの前記複数の関心要素及び一又は複数のそれ以外の要素を描写し、
前記視覚提示によって描写された前記複数の関心要素を前記一又は複数のそれ以外の要素から区別するために、前記視覚提示によって描写された前記複数の関心要素に視覚効果を適用すること（１１０）を含む、方法。
【請求項７】
前記視覚提示を生成すること（１０８）は、前記複雑系のデジタル三次元（３Ｄ）モデルの少なくとも一部分の視覚提示を生成することを含み、前記視覚効果は、前記複数の関心要素に対応する前記３Ｄモデルの３Ｄオブジェクトに適用される、請求項６に記載の方法。
【請求項８】
前記複数の関心要素は、前記複数の診断手順のうちの第１のものに関与するか、又はその影響を受ける第１の一又は複数の関心要素と、前記複数の診断手順のうちの第２のものに関与するか、又はその影響を受ける第２の一又は複数の関心要素とを含み、
前記視覚効果を適用すること（１１０）は、前記第１の一又は複数の関心要素と前記第２の一又は複数の関心要素とを互いから区別するために、前記第１の一又は複数の関心要素と前記第２の一又は複数の関心要素とで、適用される前記視覚効果の特性を変えることを含む、請求項６に記載の方法。
【請求項９】
前記複数の関心要素から重要関心要素を識別するために、前記複数の関心要素を解析すること（１１２）を更に含み、
前記視覚効果を適用すること（１１０）は、前記複数の関心要素のうちの前記重要関心要素をそれ以外の関心要素から更に区別するために、前記重要関心要素に適用された前記視覚効果の特性を変えること、又は、前記重要関心要素に第２の視覚効果を適用することを含む、請求項６に記載の方法。
【請求項１０】
前記複数の関心要素を解析すること（１１２）は、
一又は複数のエッジによって接続された複数の頂点を含むグラフを生成することであって、前記複数の頂点は、前記複数の関心要素のうちのそれぞれの要素に対応し、前記一又は複数のエッジは、前記複数の要素間の一又は複数の接続のそれぞれを表す、グラフを生成することと、
前記複数の頂点から一つの重要頂点を識別するために、前記グラフを解析することであって、前記重要頂点は前記複数の関心要素のうちの前記重要関心要素に対応する、前記グラフを解析すること
とを含む、請求項９に記載の方法。
【請求項１１】
非一時的で、かつ、コンピュータ可読プログラムコード部分が記憶されたコンピュータ可読記憶媒体であって、前記コンピュータ可読プログラムコード部分が、プロセッサによる実行に応答して、装置に少なくとも、
複数の要素から成る複雑系の物理インスタンスに関するデータを受信及び処理する（１０２）ことであって、前記データは、前記複雑系に対する複数の保守メッセージを識別するために受信及び処理され、複数の診断手順が前記複数の保守メッセージについて規定され、かつ前記複数の保守メッセージに関連付けられ、前記複数の診断手順は、前記複数の要素のうちの複数の関心要素に関与するか、又は影響を与える、受信及び処理することと、
前記複雑系の少なくとも一部分の視覚提示を生成する（１０８）ことであって、前記視覚提示は、デジタルメディアであり、かつ、前記複数の要素のうちの前記複数の関心要素及び一又は複数のそれ以外の要素を描写する、視覚提示を生成することと、
前記視覚提示によって描写された前記複数の関心要素を前記一又は複数のそれ以外の要素から区別するために、前記視覚提示によって描写された前記複数の関心要素に視覚効果を適用する（１１０）こと
とを実行させる、コンピュータ可読記憶媒体。
【請求項１２】
前記装置に前記視覚提示を生成する（１０８）ことを実行させることは、前記複雑系のデジタル三次元（３Ｄ）モデルの少なくとも一部分の視覚提示を生成することを実行させることを含み、前記視覚効果は、前記複数の関心要素に対応する前記３Ｄモデルの３Ｄオブジェクトに適用される、請求項１１に記載のコンピュータ可読記憶媒体。
【請求項１３】
前記複数の関心要素は、前記複数の診断手順のうちの第１のものに関与するか、又はその影響を受ける第１の一又は複数の関心要素と、前記複数の診断手順のうちの第２のものに関与するか、又はその影響を受ける第２の一又は複数の関心要素とを含み、
前記装置に前記視覚効果を適用する（１１０）ことを実行させることは、前記第１の一又は複数の関心要素と前記第２の一又は複数の関心要素とを互いから区別するために、前記第１の一又は複数の関心要素と前記第２の一又は複数の関心要素とで、適用される前記視覚効果の特性を変えることを実行させることを含む、請求項１１に記載のコンピュータ可読記憶媒体。
【請求項１４】
更なる可読プログラムコード部分が記憶されており、前記更なる可読プログラムコード部分は、前記プロセッサによる実行に応答して、前記装置に更に少なくとも、
前記複数の関心要素から重要関心要素を識別するために、前記複数の関心要素を解析する（１１２）ことを実行させ、
前記装置に前記視覚効果を適用する（１１０）ことを実行させることは、前記複数の関心要素のうちの前記重要関心要素をそれ以外の関心要素から更に区別するために、前記重要関心要素に適用された前記視覚効果の特性を変えることを実行させること、又は、前記重要関心要素に第２の視覚効果を適用することを実行させることを含む、請求項１１に記載のコンピュータ可読記憶媒体。
【請求項１５】
前記装置に前記複数の関心要素を解析する（１１２）ことを実行させることは、少なくとも、
一又は複数のエッジによって接続された複数の頂点を含むグラフを生成することを実行させることであって、前記複数の頂点は、前記複数の関心要素のうちのそれぞれの要素に対応し、前記一又は複数のエッジは、前記複数の要素間の一又は複数の接続のそれぞれを表す、グラフを生成することと、
前記複数の頂点から一つの重要頂点を識別するために、前記グラフを解析することであって、前記重要頂点は前記複数の関心要素のうちの前記重要関心要素に対応する、前記グラフを解析すること
とを実行させることを含む、請求項１４に記載のコンピュータ可読記憶媒体。